(57)【要約】【課題】遮光絞りを配置した際の新たな迷光の発生を抑えることが可能な観察装置及び顕微鏡装置を提供すること。【解決手段】第１の結像レンズＬ1と反射部材Ｍとを有し、顕微鏡本体に着脱可能に取り付け、顕微鏡本体の対物レンズから入射した光束を反射させた後、観察像を結像させる観察装置３及び顕微鏡装置。反射部材は、光軸ＡLを含む領域に入射する光束を反射する反射面Ｆrと、反射面に設けられ、光の反射を防止する反射防止部とを有する。【選択図】図２
2012078581.tif 000002
【特許請求の範囲】
【請求項１】
第１の結像レンズと反射部材とを有し、顕微鏡本体に着脱可能に取り付け、前記顕微鏡本体の対物レンズから前記第１の結像レンズを介して入射した光束を反射させた後、観察像を結像させる観察装置において、
前記反射部材は、光軸を含む領域に入射する光束を反射する反射面と、前記反射面に設けられ、迷光の反射を防止する反射防止部とを有することを特徴とする観察装置。
【請求項２】
前記反射防止部は、遮光性フィルムを用いて形成され、前記光束が通過する開口を有する光学絞りであることを特徴とする請求項１に記載の観察装置。
【請求項３】
前記対物レンズから入射する光束の光軸に沿って前記第１の結像レンズの後側に設けられ、前記第１の結像レンズと共にリレー光学系を構成する第２の結像レンズを備え、
前記反射部材は、前記リレー光学系内に配置されることを特徴とする請求項１又は２に記載の観察装置。
【請求項４】
前記反射部材を複数備え、
前記反射防止部は、前記対物レンズから入射する光束の光軸に沿って前記第１の結像レンズの結像位置から前記第１の結像レンズ側又は前記第２の結像レンズ側へ数えて１番目の反射部材に設けられることを特徴とする請求項１〜３のいずれか一つに記載の観察装置。
【請求項５】
請求項１〜４のいずれか一つに記載の観察装置を備えたことを特徴とする顕微鏡装置。
【発明の詳細な説明】
【技術分野】
【０００１】
本発明は、鏡筒を備えた観察装置及び顕微鏡装置に関する。
【背景技術】
【０００２】
従来、顕微鏡装置の観察装置には、光学設計上、観察像の回転や反転や観察、撮像の光路切替、観察者の姿勢変更等に必要な光路長を確保するため、中間鏡筒を用いるものが知られている（例えば、特許文献１参照）。
【０００３】
この中間鏡筒は、内部に光学ミラー，プリズム若しくはレンズ等の複数の光学素子、又はこれらの保持部品が配置されている。従って、観察装置を使用した顕微鏡装置では、前記光学素子や保持部品で反射して観察像に写りこむフレアやゴーストからなる迷光をカットするため、観察装置の内部の光路上に遮光絞りを配置している。
【先行技術文献】
【特許文献】
【０００４】
【特許文献１】特開２００２−１６９０９５号公報
【発明の概要】
【発明が解決しようとする課題】
【０００５】
ところで、遮光絞りには、板状の部材に開口が形成されているため、入射する光束の一部が開口の内周面で反射する。このため、観察装置を使用した顕微鏡装置では、前記内周面で反射する光によって新たな迷光が発生するという問題があった。
【０００６】
本発明は、上記に鑑みてなされたものであって、遮光絞りを起因とする迷光の発生を抑えることが可能な観察装置及び顕微鏡装置を提供することを目的とする。
【課題を解決するための手段】
【０００７】
上述した課題を解決し、目的を達成するために、本発明の観察装置は、第１の結像レンズと反射部材とを有し、顕微鏡本体に着脱可能に取り付け、前記顕微鏡本体の対物レンズから入射した光束を反射させた後、観察像を結像させる観察装置において、前記反射部材は、光軸を含む領域に入射する光束を反射する反射面と、前記反射面に設けられ、迷光の反射を防止する反射防止部とを有することを特徴とする。
【０００８】
また、本発明の観察装置は、上記の発明において、前記反射防止部は、遮光性フィルムを用いて形成され、前記光束が通過する開口を有する光学絞りであることを特徴とする。
【０００９】
また、本発明の観察装置は、上記の発明において、前記対物レンズから入射する光束の光軸に沿って前記第１の結像レンズの後側に設けられ、前記第１の結像レンズと共にリレー光学系を構成する第２の結像レンズを備え、前記反射部材は、前記リレー光学系内に配置されることを特徴とする。
【００１０】
また、本発明の観察装置は、上記の発明において、前記反射部材を複数備え、前記反射防止部は、前記対物レンズから入射する光束の光軸に沿って前記第１の結像レンズの結像位置から前記第１の結像レンズ側又は前記第２の結像レンズ側へ数えて１番目の反射部材に設けられることを特徴とする。
【００１１】
また、上述した課題を解決し、目的を達成するために、本発明の顕微鏡装置は、前記観察装置を備えたことを特徴とする。
【発明の効果】
【００１２】
本発明によれば、反射部材は、光軸を含む領域に入射する光束を反射する反射面と、反射面に設けられ、迷光の反射を防止する反射防止部とを有するので、遮光絞りを起因とする迷光の発生を抑えることが可能な観察装置及び顕微鏡装置を提供することができるという効果を奏する。
【図面の簡単な説明】
【００１３】
【図１】図１は、本発明の実施の形態に係る顕微鏡装置として正立顕微鏡の右側面を示す概略構成図である。
【図２】図２は、本発明の実施の形態である観察装置の縦断面図である。
【図３】図３は、図２の固定部に設けられる光学部品の平面的配置を示す模式図である。
【図４】図４は、図３のＣ1−Ｃ1線に沿った断面図である。
【図５】図５は、光学ミラーに貼付する反射防止フィルムの正面図である。
【図６】図６は、第２光学ミラーを取り付けた固定部の断面図である。
【図７】図７は、図３のＣ2−Ｃ2線に沿った断面図である。
【図８】図８は、第２光学ミラーに反射防止フィルムが貼付されていない場合における、迷光の反射を説明する図である。
【図９】図９は、第２光学ミラーを取り付ける固定部の保持壁の変形例を示す断面図である。
【図１０】図１０は、反射防止フィルムを貼付した保持壁に取り付けられる第２光学ミラーを示す正面図である。
【図１１】図１１は、第２光学ミラーを取り付ける固定部の保持壁の変形例を示す断面図である。
【図１２】図１２は、図１１のＡ部拡大図である。
【図１３】図１３は、反射防止フィルムの変形例を示す第２光学ミラーの正面図である。
【発明を実施するための形態】
【００１４】
以下に、本発明の観察装置及び顕微鏡装置に係る実施の形態を図面を参照して詳細に説明する。なお、この実施の形態によりこの発明が限定されるものではない。
【００１５】
図１は、本発明の実施の形態に係る顕微鏡装置として正立顕微鏡の右側面を示す概略構成図である。図１に示すように、顕微鏡装置１は、机上に設置される本体２と、本体２に着脱自在に取り付けられた観察装置３とを備えている。
【００１６】
本体２には、図１に示すように、ステージ２２を昇降可能に支持する保持台２１が設けられている。ステージ２２は、標本を保持したスライドガラスＳが載置され、スライドガラスＳが落下しない程度の大きさの透孔からなる照明用の開口（図示せず）が設けられている。ステージ２２は、焦準ハンドル２３を回転操作することにより、水平を維持した状態で保持台２１に案内されて昇降する。
【００１７】
焦準ハンドル２３は、図１に示すように、本体２の側面に配置されており、本体２に内蔵されたラックアンドピニオン機構（図示せず）によりステージ２２と接続されている。従って、焦準ハンドル２３を回転操作すると、ラックアンドピニオン機構を介してステージ２２が昇降する。
【００１８】
本体２の背面下部には、図１に示すように、光源２４ａを内蔵したランプハウス２４が設けられている。光源２４ａは、観察光を本体２の前方に向けて出射する。また、ランプハウス２４の前方の本体２の内部には、光学ミラー２６が設けられ、光学ミラー２６の上方の本体２の上面には、コンデンサ２７が設置されている。光学ミラー２６は、光源２４ａが出射した観察光の進行方向を９０度変化せてコンデンサ２７に入射させる。コンデンサ２７で集束された観察光は、ステージ２２の前記開口を通過してスライドガラスＳ上の標本に照射される。
【００１９】
また、本体２には、図１に示すように、レボルバ２８が回転可能に取り付けられている。レボルバ２８には、複数の対物レンズ２９が取り外し自在に装着される。レボルバ２８は、複数の対物レンズ２９を装着した状態で回転させることにより、倍率が異なる対物レンズ２９が順次光軸ＡL上に配置される。そして、対物レンズ２９を通過した観察光は、平行光束となって観察装置３に入射する。
【００２０】
本体２の上面には、本発明の実施の形態である観察装置３が着脱可能に設置されている。観察装置３は、図１に示すように、中間鏡筒４と中間鏡筒４に装着される鏡筒８とを備えている。
【００２１】
図２は、本発明の実施の形態である観察装置３の縦断面図である。図３は、図２の固定部に設けられる光学部品の平面的配置を示す模式図である。中間鏡筒４は、図２に示すように、固定部５、水平方向に移動する水平移動部６及び垂直方向に移動する垂直移動部７を備えている。
【００２２】
固定部５は、図２に示すように、下面にオス丸アリ５ａが設けられている。オス丸アリ５ａは、本体２の上部に設けられたメス丸アリ（図示せず）に着脱可能に固定される。固定部５は、対物レンズ２９を通過して入射した観察光を水平移動部６へ導く光路ＰLが内部に形成されており、図２及び図３に示すように、光軸ＡL上に第１結像レンズＬ1、第１光学ミラーＭ1、第２光学ミラーＭ2、視野絞りＦs、第３光学ミラーＭ3、第４光学ミラーＭ4、第５光学ミラーＭ5及び第２結像レンズＬ2がこれらの順に配置されている。
【００２３】
第１結像レンズＬ1は、対物レンズ２９から入射する光束の光軸ＡLに沿って第２結像レンズＬ2の前となる第２光学ミラーＭ2と第３光学ミラーＭ3との中間の光軸ＡL上に像側焦点が位置するレンズが使用される。第１結像レンズＬ1は、図２に示すように、レンズの光軸を光軸ＡLと一致させて設けられ、オス丸アリ５ａの内周の保持部５ｂに接着剤によって固定されている。第１結像レンズＬ1は、第２結像レンズＬ2と共に、固定部５に入射する観察光を結像させて中間像を作った後、平行光にして出射させるリレー光学系を構成している。
【００２４】
図４は、図３のＣ1−Ｃ1線に沿った断面図である。第１光学ミラーＭ1は、第２光学ミラーＭ2〜第５光学ミラーＭ5と共に反射部材として使用され、第２光学ミラーＭ2〜第５光学ミラーＭ5と共に矩形に形成されている。第１光学ミラーＭ1は、図４に示すように、オス丸アリ５ａの近傍に形成された保持部５１，５２に接着剤によって固定されている。このとき、第１光学ミラーＭ1は、反射面Ｆrを光軸ＡLに対して傾斜させて交差配置される。保持部５１には、観察光が通過する開口５１ａが形成されている。
【００２５】
第２光学ミラーＭ2は、反射面を光軸ＡLに対して４５゜傾斜させて配置される。第２光学ミラーＭ2は、図４に示すように、光軸ＡLを含む領域に入射する観察光Ｌobの光束を反射する反射面Ｆrに迷光の反射を防止する反射防止フィルム５３が貼付されている。
【００２６】
図５は、光学ミラーに貼付する反射防止フィルムの正面図である。反射防止フィルム５３は、黒色素材からなる薄いファイルム（例えば、０．１８〜０．２ｍｍ）の観察光の入射側となる面に梨地加工を施したものであり、中央に楕円形の開口５３ａが形成されている。開口５３ａは、第２光学ミラーＭ2の反射面Ｆrを露出させて観察光Ｌobの光束を反射させるものであり、開口５３ａの位置における観察光Ｌobの断面積よりも僅かに大きくなるように形成されている。
【００２７】
図６は、第２光学ミラーＭ2を取り付けた固定部の断面図である。第２光学ミラーＭ2は、図６に示すように、固定部５に設けた保持壁５４に押え板５５によって取り付けられる。このとき、第２光学ミラーＭ2は、保持壁５４に形成した矩形の開口５４ａの周縁に外縁を当て付けた状態で押え板５５を被せ、押え板５５の外周をビス５６によって保持壁５４に取り付けられる。開口５４ａは、反射防止フィルム５３が収まるように反射防止フィルム５３の外周と同一の形状に形成されている。
【００２８】
ここで、反射防止フィルム５３の開口５３ａへ入射する観察光Ｌobは、光束の直径が進行方向に向かって小さくなる。このため、図６に示すように、光軸ＡLから開口５３ａの縁までの距離ｄ1，ｄ2は異なっており（ｄ1≠ｄ2）、光軸ＡLは開口５３ａの中心を通らない。
【００２９】
図７は、図３のＣ2−Ｃ2線に沿った断面図である。視野絞りＦsは、光軸ＡL上の第１結像レンズＬ1の像側焦点の位置に光軸ＡLに直交させて設けられる。視野絞りＦsは、図７に示すように、中央に開口Ｏpが設けられている。開口Ｏpは、反射防止フィルム５３の開口５３ａを通過して視野絞りＦsの位置に結像する中間像の最大の大きさよりも直径が僅かに大きくなるように設定される。従って、第１結像レンズＬ1を通過した観察光は、光軸ＡL上の視野絞りＦsの位置に結像する。
【００３０】
第３光学ミラーＭ3〜第５光学ミラーＭ5は、第１光学ミラーＭ1と同様に、観察光Ｌobの光軸ＡLに対して傾斜させて配置され、接着剤によって固定部５に固定されている。また、第２結像レンズＬ2は、レンズの光軸を光軸ＡLと一致させて設けられ、観察光の出射側となる保持部５ｃに接着剤によって固定されている。
【００３１】
水平移動部６は、固定部５から入射した観察光（平行光）を垂直移動部７へ導く光路ＰLが内部に形成されており、図２に示すように、下面にオスアリ６ａが形成されている。水平移動部６は、オスアリ６ａを固定部５の上面に形成したメスアリ５ｅと嵌め合わせることにより、図中矢印で示すように固定部５に対する水平方向への移動が案内される。水平移動部６は、観察光を垂直移動部７へ反射する第６光学ミラーＭ6が光軸ＡL上に配置されている。そして、水平移動部６は、正面側にラック収容部６ｂが形成され、ラック収容部６ｂの上部にはピニオンギア６１が設けられている。ピニオンギア６１は、水平移動部６の側面に設けた図示しない操作ハンドルの回動操作によって回転される。ここで、操作ハンドルは、垂直移動部７や鏡筒８の荷重によって回転し、垂直移動部７が下降しないように、水平移動部６との間に皿ワッシャや波ワッシャ等の摩擦力を発生させる弾性部材が配置されている。
【００３２】
垂直移動部７は、水平移動部６から入射した観察光を鏡筒８へ導く光路が内部に形成されており、図２に示すように、正面側にオスアリ７ａが設けられている。オスアリ７ａは、水平移動部６に形成された図示しないメスアリと嵌め合わせることにより垂直移動部７の上下方向への移動を案内する。また、オスアリ７ａには水平移動部６のピニオンギア６１と噛み合うラックギア７１が取り付けられている。
【００３３】
鏡筒８は、俯角の調整が可能なチルティング鏡筒であって、図２に示すように、本体８ａ、本体８ａの下面に設けたオス丸アリ８ｂ及び接眼レンズ９を有している。鏡筒８は、垂直移動部７の上面に設けたメス丸アリ７ｂと係合させて垂直移動部７に取り付けられる。本体８ａ内には、結像レンズ８１、鏡筒光学ミラー８２及びチルト光学ミラー８３が設けられている。
【００３４】
以上のように構成される顕微鏡装置１においては、図１に示すように、光源２４ａから出射された観察光は、標本を透過した後、対物レンズ２９によって平行光に収束されて観察装置３に入射し、中間鏡筒４及び鏡筒８を通過して、像点Ｐiに結像する。
【００３５】
このとき、観察装置３は、第２光学ミラーＭ2に光学絞りとしての反射防止フィルム５３が貼付されている。このため、反射防止フィルム５３は、観察光の一部が開口５３ａの内周面で反射するが、薄いファイルムであることから、開口５３ａの内周面で生ずる光の反射は従来の遮光絞りに比べると少なく、迷光の発生が抑制される。
【００３６】
また、観察装置３においては、図４に示すように、固定部５へ入射する際に観察光Ｌobが第１結像レンズＬ1を保持した保持部５ｂの端面に入射することによって迷光となる反射光ＲL1，ＲL2，ＲL3が発生する。こららの反射光ＲL1，ＲL2，ＲL3が、図４に示すように、観察光Ｌobの内部を通った場合、第１結像レンズＬ1から第２光学ミラーＭ2迄の間で遮光することはできない。
【００３７】
しかし、図４に示すように、反射光ＲL1，ＲL2，ＲL3は、第１光学ミラーＭ1、固定部５の内部、或いは保持部５１の開口５１ａで反射した後、第２光学ミラーＭ2の反射防止フィルム５３に到達する。このため、反射光ＲL1，ＲL2，ＲL3は、反射することなく反射防止フィルム５３によって遮光される。このため、反射防止フィルム５３では、これら以外の開口５３ａを通過する観察光Ｌobのみが、露出した第２光学ミラーＭ2の反射面Ｆrによって第３光学ミラーＭ3へと反射され、迷光の発生が抑えられる。
【００３８】
このとき、第２光学ミラーＭ2に反射防止フィルム５３が貼付されていないと、図７に示すように、観察光Ｌobの他に、第２光学ミラーＭ2によって反射された反射光ＲL1，ＲL2，ＲL3が視野絞りＦsの開口Ｏpへ到達する。このため、反射光ＲL1，ＲL2，ＲL3が迷光として観察像に写り込んだり、視野絞りＦsの開口Ｏpによるケラレが発生したりして、観察像の画質が低下する。しかも、反射光ＲL1，ＲL2，ＲLは、観察光Ｌobの光束の内部を通るため、第２光学ミラーＭ2と視野絞りＦsとの間に従来の遮光絞りを配置しても遮光することができない。
【００３９】
従って、迷光となる反射光ＲL1，ＲL2，ＲLは、図４に示すように、第２光学ミラーＭ2に貼付した反射防止フィルム５３によって第２光学ミラーＭ2の位置で遮光する必要がある。ここで、反射防止フィルム５３は、対物レンズ２９から入射する観察光Ｌobの光束の光軸ＡLに沿って第１結像レンズＬ1の結像位置である視野絞りＦsの位置から第１結像レンズＬ1側又は第２結像レンズＬ2側へ数えて１番目の光学ミラーＭに設けてあればよい。従って、反射防止フィルム５３は、第１結像レンズＬ1の焦点距離の位置に設ける視野絞りＦsに対して第２光学ミラーＭ2と対称の位置に配置される第３光学ミラーＭ3に貼付しても迷光の原因となる反射光を遮光することができる。この場合、反射防止フィルム５３は、第２光学ミラーＭ2と第３光学ミラーＭ3の一方に貼付してあればよいが、両方に貼付してもよい。
【００４０】
図８は、第２光学ミラーＭ2に反射防止フィルム５３が貼付されていない場合における、迷光の反射を説明する図である。第２光学ミラーＭ2に反射防止フィルム５３が貼付されていない場合、図８に示すように、像側（視野絞りＦs側）における反射によって戻って来る反射光ＲLには、保持壁５４の開口５４ａの周縁で反射されると、第２光学ミラーＭ2によって同じ像側（視野絞りＦs側）へ反射されて迷光Ｌsとなり、観察像に写り込まむ反射光が含まれる。
【００４１】
しかし、第２光学ミラーＭ2は、反射防止フィルム５３を貼付したので、物体側のみならず、像側（視野絞りＦs側）からの反射光を遮光することができ、迷光を抑えるのに有効である。
【００４２】
なお、反射防止フィルム５３を第２光学ミラーＭ2に貼付する場合、図示しない貼付専用の冶具を用い、第２光学ミラーＭ2の外形と反射防止フィルム５３の外形とを合わせることにより位置精度良く貼付することができる。また、押え板５５によって第２光学ミラーＭ2を取り付けると、第２光学ミラーＭ2及び反射防止フィルム５３の開口５３ａを保持壁５４及び光軸ＡLに対して高精度に位置決めすることができる。更に、第２光学ミラーＭ2は、光軸ＡLに対して傾斜配置されるため、反射防止フィルム５３も光軸ＡLに対して傾斜し、厚さが薄いことから、開口５３ａの周縁で観察光の一部が反射されて迷光となる可能性が少ない。
【００４３】
上記実施の形態によれば、リレー光学系を構成する第１結像レンズＬ1と第２結像レンズＬ2との間に配置される第２光学ミラーＭ2に反射防止フィルム５３を貼付したので、遮遮光絞りを起因とする迷光の発生を抑えることができる。また、第２光学ミラーＭ2に貼付する反射防止フィルム５３であることから、光軸に直交させて設ける従来の遮光絞りに比べて、安価に提供することができるうえ、スペースを取らないので観察装置３の光学設計上の自由度が増す。
【００４４】
（変形例１）
図９は、第２光学ミラーを取り付ける固定部の保持壁の変形例を示す断面図である。図９に示すように、保持壁５４Ａは、底部支持辺５４Ａａと左右の側支持辺５４Ａｂとを有している。第２光学ミラーＭ2(d1)は、保持壁５４Ａの底部支持辺５４Ａａと左右の側支持辺５４Ａｂとに第２光学ミラーＭ2(d1)の左右の側縁と下縁とを当て付けて保持壁５４Ａに取り付けられる。
【００４５】
図１０は、反射防止フィルムを貼付した保持壁に取り付けられる第２光学ミラーを示す正面図である。第２光学ミラーＭ2(d1)は、図１０に示すように、保持壁５４Ａに当接する左右及び下部の部分が除去され、中央に楕円形の開口５３Ａａを形成した反射防止フィルム５３Ａが反射面Ｆrに貼付されている。
【００４６】
図９に示す保持壁５４Ａを使用すると、保持壁５４に比べて加工が容易なうえ、保持壁５４の上縁部分が不要なため、固定部５の上面壁を第２光学ミラーＭ2(d1)に接近させることで、観察装置３を小型化することができる。
【００４７】
また、第２光学ミラーＭ2(d1)は、反射防止フィルム５３Ａを貼付する際、上縁同士を位置合わせすれば良いので、専用冶具を用いることなく簡易に精度良く貼付することができる。
【００４８】
（変形例２）
図１１は、第２光学ミラーを取り付ける固定部の保持壁の変形例を示す断面図である。図１２は、図１１のＡ部拡大図である。保持壁５４Ｂは、図１１及び図１２に示すように、開口５４Ｂａの周囲に反射防止フィルム５３の厚さより大きい段差によって取付面５４Ｂｂが形成されている。反射防止フィルム５３を貼付した第２光学ミラーＭ2は、段差内に反射防止フィルム５３を配置すると共に、当接面５４Ｂｂに反射防止フィルム５３を当接させて保持壁５４Ｂに取り付けられる。
【００４９】
このようにして第２光学ミラーＭ2を保持壁５４Ｂに取り付けると、反射防止フィルム５３を更に高い精度で位置決めすることができる。
【００５０】
（変形例３）
図１３は、反射防止フィルムの変形例を示す第２光学ミラーの正面図である。ここで、観察像を目視ではなく、撮像素子（ＣＣＤ）で撮像する場合、視野が円形である必要はない。このような場合、図１３に示すように、第２光学ミラーＭ2(d3)は、開口５３Ｂａを矩形とした矩形の反射防止フィルム５３Ｂとしてもよい。
【産業上の利用可能性】
【００５１】
以上のように、本発明の観察装置及び顕微鏡装置は、遮光絞りを起因とする迷光の発生を抑えるのに有用である。
【符号の説明】
【００５２】
１  顕微鏡装置
２  本体
２１  保持台
２２  ステージ
２３  焦準ハンドル
２４ａ  光源
２４  ランプハウス
２６  光学ミラー
２７  コンデンサ
２８  レボルバ
２９  対物レンズ
Ｓ  スライドガラス
３  観察装置
４  中間鏡筒
５  固定部
５ａ  オス丸アリ
５ｂ，５ｃ  保持部
５ｅ  メスアリ
５１，５２  保持部
５３  反射防止フィルム
５３ａ  開口
５３Ｂ  反射防止フィルム
５３Ｂａ  開口
５４  保持壁
５４Ａ  保持壁
５４Ａａ  底部支持辺
５４Ａｂ  側支持辺
５４Ｂ  保持壁
５４Ｂａ  開口
５４Ｂｂ  取付面
５５  押え板
５６  ビス
６  水平移動部
６ａ  オスアリ
６ｂ  ラック収容部
６１  ピニオンギア
７  垂直移動部
７ｂ  メス丸アリ
７１  ラックギア
８  鏡筒
８ａ  本体
８ｂ  オス丸アリ
８１  結像レンズ
８２  鏡筒光学ミラー
８３  チルト光学ミラー
９  接眼レンズ
ＡL  光軸
Ｆr  反射面
Ｆs  視野絞り
Ｌ1  第１結像レンズ
Ｌ2  第２結像レンズ
Ｌob  観察光
Ｌs  迷光
Ｍ1  第１光学ミラー
Ｍ2  第２光学ミラー
Ｍ2(d1)  第２光学ミラー
Ｍ2(d3)  第２光学ミラー
Ｍ3  第３光学ミラー
Ｍ4  第４光学ミラー
Ｍ5  第５光学ミラー
Ｍ6  第６光学ミラー
Ｏp  開口
Ｐi  像点
ＰL  光路
ＲL1，ＲL2，ＲL3  反射光
ＲL  反射光
【図１】
2012078581.tif 000003
【図２】
2012078581.tif 000004
【図３】
2012078581.tif 000005
【図４】
2012078581.tif 000006
【図５】
2012078581.tif 000007
【図６】
2012078581.tif 000008
【図７】
2012078581.tif 000009
【図８】
2012078581.tif 000010
【図９】
2012078581.tif 000011
【図１０】
2012078581.tif 000012
【図１１】
2012078581.tif 000013
【図１２】
2012078581.tif 000014
【図１３】
2012078581.tif 000015